(57)【要約】【課題】コストの上昇を抑制しつつ、温度上昇を抑制する処理を行うことが可能な電子機器を実現する。【解決手段】電子機器（１１）は、当該電子機器における処理の負荷を示す情報を取得する取得部（１１２０）と、当該情報を参照して当該電子機器の少なくとも一部における温度上昇を抑制する処理を行う処理制御部（１１２１）と、を備える。【選択図】図１
2020141215.tif 000002
【特許請求の範囲】
【請求項１】
電子機器であって、
当該電子機器における処理の負荷を示す情報を取得する取得部と、
当該情報を参照して当該電子機器の少なくとも一部における温度上昇を抑制する処理を行う処理制御部と、を備える
ことを特徴とする電子機器。
【請求項２】
通信部を更に備え、
前記取得部は、
前記処理の負荷を示す情報として、前記通信部における通信状況を示す情報を取得する
ことを特徴とする請求項１に記載の電子機器。
【請求項３】
前記処理制御部は、
前記通信部による通信に所定の種類の通信回線が使用されている場合か、
前記通信部が一定時間以上、連続して通信処理を行っている場合かの少なくとも何れか一方の条件が満たされたときに、
前記温度上昇を抑制する処理を行う
ことを特徴とする請求項２に記載の電子機器。
【請求項４】
前記処理制御部は、
前記通信部が、ビームフォーミングによって基地局から電波を受信した場合に、前記温度上昇を抑制する処理を行う
ことを特徴とする請求項２または３に記載の電子機器。
【請求項５】
前記処理制御部は、
当該電子機器に接続している端末が一定数以上存在する場合に、前記温度上昇を抑制する処理を行う
ことを特徴とする請求項２〜４の何れか１項に記載の電子機器。
【請求項６】
前記取得部は、
当該電子機器における処理の負荷を示す情報として、当該電子機器に接続している端末の少なくとも何れかにおいて何れのアプリケーションが実行されているかを示す情報を、前記通信部を介して取得し、
前記処理制御部は、
当該端末において所定のアプリケーションが実行されていることを当該情報が示している場合に、前記温度上昇を抑制する処理を行う
ことを特徴とする請求項２〜５の何れか１項に記載の電子機器。
【請求項７】
前記処理制御部は、
前記温度上昇を抑制する処理として、当該電子機器に接続可能な端末の数を制限する処理を行う
ことを特徴とする請求項２〜６の何れか１項に記載の電子機器。
【請求項８】
前記処理制御部は、
前記通信部が通信を行うことによる送信電力が所定の閾値よりも大きい場合に、前記温度上昇を抑制する処理を行う
ことを特徴とする請求項２〜７の何れか１項に記載の電子機器。
【請求項９】
前記処理制御部は、
当該電子機器が消費している電力の合計値が所定の閾値よりも大きい場合に、前記温度上昇を抑制する処理を行う
ことを特徴とする請求項１〜８の何れか１項に記載の電子機器。
【請求項１０】
アプリケーションを実行可能な端末であって、
当該端末において何れのアプリケーションが実行されているかを示す情報を取得する取得部と、
所定のアプリケーションが実行されていることを、当該情報が示している場合に、当該端末の少なくとも一部における温度上昇を抑制する処理を行う処理制御部と、を備える
ことを特徴とする端末。
【請求項１１】
電子機器における温度上昇を抑制する処理方法であって、
当該電子機器における処理の負荷を示す情報を取得する取得工程と、
当該情報を参照して当該電子機器の少なくとも一部における温度上昇を抑制する処理を行う処理制御工程と、を含む
ことを特徴とする処理方法。
【請求項１２】
請求項２〜９の何れか１項に記載の電子機器を備える
ことを特徴とする温度上昇抑制システム。
【請求項１３】
請求項１に記載の電子機器としてコンピュータを機能させるための制御プログラムであって、上記取得部および上記処理制御部としてコンピュータを機能させるための制御プログラム。
【請求項１４】
請求項１３に記載の制御プログラムを記録したコンピュータ読み取り可能な記録媒体。
【発明の詳細な説明】
【技術分野】
【０００１】
本発明は電子機器、端末、処理方法、温度上昇抑制システム、制御プログラム、および記憶媒体に関する。
【背景技術】
【０００２】
従来、データ処理システム内の温度管理に関する技術が知られている。例えば、特許文献１には下記の構成が記載されている。すなわち、データ処理システム（電子端末または電子機器などを含む）の周辺温度またはデータ処理システム内部の温度を定期的に測定し、それらを用いて将来のデータ処理システムの温度を予測する。さらに、予測した温度があらかじめ決められている閾値を超える場合、電圧または周波数に制限をかける。
【先行技術文献】
【特許文献】
【０００３】
【特許文献１】特開２０１２−７４０６４号公報（２０１２年４月１２日公開）
【発明の概要】
【発明が解決しようとする課題】
【０００４】
しかしながら、上述のような従来技術は、温度を測定するための装置が必要となるため、コストが上昇するという問題がある。
【０００５】
本発明の一態様は、コストの上昇を抑制しつつ、温度上昇を抑制する処理を行うことが可能な電子機器を実現することを目的とする。
【課題を解決するための手段】
【０００６】
上記の課題を解決するために、本発明の一態様に係る電子機器は、当該電子機器における処理の負荷を示す情報を取得する取得部と、当該情報を参照して当該電子機器の少なくとも一部における温度上昇を抑制する処理を行う処理制御部と、を備える。
【発明の効果】
【０００７】
本発明の一態様によれば、コストの上昇を抑制しつつ、温度上昇を抑制する処理を行うことができる。
【図面の簡単な説明】
【０００８】
【図１】本発明の実施形態に係る電子機器を含む温度上昇抑制システムの要部構成と基地局とを含む全体構成を示すブロック図である。
【図２】図１に係る電子機器における処理を示すフローチャートである。
【図３】図１における端末の要部構成を示すブロック図である。
【図４】図３に示す端末における処理を示すフローチャートである。
【発明を実施するための形態】
【０００９】
（従来技術及び予備的構成例）
本願発明の実施形態について具体的な説明を行う前に、従来技術及び本実施形態の予備的構成について、以下に纏める。
【００１０】
２０２０年に商用化を目指している５Ｇ通信は、高速大容量または多数接続等を実現できる代わりに、５Ｇ通信に必要な消費電力は従来の通信よりもかなり多くなると予想されている。そのため熱制御が課題となる。
【００１１】
近年、スタジアムなどの屋外での使用される、５Ｇ通信に対応したＣＰＥ（Customer Premises Equipment：顧客構内設備）が開発されている。ＣＰＥが熱くなるとスループットが落ちたり、最悪の場合突然切断されたりする恐れがあるため、常に熱を持たないようにしておく必要がある。
【００１２】
上述した５Ｇ対応ＣＰＥは冷却ファンを搭載予定だが、冷却ファンをどのように制御するかが課題になる。端末、例えばＣＰＥがまだ熱くなくても、５Ｇ通信を使うことで熱くなることが分かるのであれば、冷却ファンをうまく制御することで、ＣＰＥが高温になることを防ぐことが好ましい。なお、従来の５Ｇ非対応ＣＰＥ（ＬＴＥ（Long Term Evolution） ＣＰＥ）は高温になることを想定していないため、冷却ファンを搭載していないものもある。
【００１３】
〔実施形態〕
以下、本発明の一実施形態について、詳細に説明する。
【００１４】
図１〜４に基づいて、本発明の実施形態に係る電子機器１１、端末群１２（図１では複数の端末１２１、端末１２２、端末１２３、…を例示している）、処理方法、および温度上昇抑制システム１を説明する。
【００１５】
（全体構成）
図１は、本実施形態に係る電子機器１１を含む温度上昇抑制システム１の要部構成と基地局２とを含む全体構成を示すブロック図である。図１に示すように、本実施形態に係る温度上昇抑制システム１は、主に電子機器１１を備える。端末群１２は、１又は複数の端末１２１、端末１２２、端末１２３、…、を備える。
【００１６】
（電子機器の詳細構成）
図１に示すように、電子機器１１は、制御部１１２と、通信部１１３と、冷却ユニット１１４とを備える。また、制御部１１２は、取得部１１２０と、処理制御部１１２１と、通信制御部１１２２とを備える。ここでいう電子機器１１とは、一例として、例えば５Ｇ通信回線を使用可能なＣＰＥが挙げられる。
【００１７】
取得部１１２０は、電子機器１１における処理の負荷を示す情報を取得する。電子機器１１における処理の負荷を示す情報とは、一例として、例えば電子機器１１と他の電子モバイルとの間に通信している際の通信負荷レベルが挙げられる。一般的には、通信負荷レベルが大きければ大きいほど、電子機器１１における処理の負荷が重くなっていることを示す。
【００１８】
処理制御部１１２１は、電子機器１１における処理の負荷を示す情報を参照して、電子機器１１の少なくとも一部における温度上昇を抑制する処理を行う。処理の一例として、例えば処理制御部１１２１は、冷却ユニット１１４の冷却量を制御することが挙げられる。また、冷却ユニット１１４の一例として、例えば冷却ファンが挙げられる。
【００１９】
上記の構成によれば、コストを抑制しつつ、温度上昇を抑制する処理を行うことが可能な電子機器１１を実現することができる。
【００２０】
また、図１に示すように、電子機器１１は、通信部１１３を更に備える。電子機器１１は、通信部１１３を介して例えば基地局２または１若しくは複数の端末１２１、端末１２２、端末１２３、…、と相互に通信を行う。通信部１１３は、制御部１１２における通信制御部１１２２により制御される。
【００２１】
取得部１１２０は、電子機器１１における処理の負荷を示す情報として、通信部１１３における通信状況を示す情報を取得してもよい。前述したように、ここでいう通信部１１３における通信状況を示す情報とは、例えば電子機器１１と他の電子モバイルとの間に通信している際の通信負荷レベルが挙げられる。
【００２２】
上記の構成によれば、通信部１１３における通信状況を示す情報を参照して、電子機器１１の少なくとも一部における温度上昇を抑制する処理を行うことができる。
【００２３】
次に、電子機器１１において、温度上昇を抑制する処理を行う条件について例を挙げて説明する。
【００２４】
（温度上昇を抑制する処理を行う条件例１）
１つの例として、電子機器１１の通信部１１３による通信に所定の種類（ＲＡＴ）の通信回線が使用されている場合、すなわち処理制御部１１２１が通信制御部１１２２から、通信部１１３による通信に所定の種類（ＲＡＴ）の通信回線、たとえば５Ｇ規格対応の通信回路が使用されていると判明した場合に、処理制御部１１２１は、温度上昇を抑制する処理を行ってもよい。
【００２５】
或いは、他の例として、電子機器１１における通信部１１３が一定時間以上、連続して通信処理を行っている場合に、処理制御部１１２１は、温度上昇を抑制する処理を行ってもよい。ここでは、電子機器１１における通信部１１３が一定時間以上、連続して通信処理を行っていることは、電子機器１１が備える不図示のタイマにより検知することが挙げられる。また、ここでいう「一定時間」は特に限定せず、必要に応じて好適に設定することが好ましい。
【００２６】
一般的に、５Ｇ規格対応の通信回路を使用する場合、または電子機器１１における通信部１１３が一定時間以上、連続して通信処理を行う場合に、通信負荷がかなり重くなることが想定され、電子機器１１の温度上昇が顕著になることが考えられる。
【００２７】
上記の構成によれば、処理制御部１１２１は、通信部１１３による通信に所定の種類の通信回線が使用されているか否か、または通信部１１３が一定時間以上、連続して通信処理を行っているか否かによって、温度上昇を抑制する処理を行うため、電子機器１１の少なくとも一部における温度上昇を抑制する処理を好適に行うことができる。
【００２８】
（温度上昇を抑制する処理を行う条件例２）
他の条件例として、電子機器１１において、通信部１１３が通信を行うことによる送信電力が所定の閾値よりも大きい場合に、処理制御部１１２１は、温度上昇を抑制する処理を行ってもよい。また、ここでいう「所定の閾値」は特に限定せず、必要に応じて好適に設定することが好ましい。
【００２９】
一般的には、通信部１１３が通信を行うことによる送信電力が大きければ大きいほど、電子機器１１における処理の負荷が重くなっていることを示す。また、ここでいう「送信電力」は、空中線電力とも呼ばれ、送信機が空中線（アンテナ）に供給する電波の電力（強さ）を指す。
【００３０】
上記の構成によれば、処理制御部１１２１は、通信部１１３が通信を行うことによる送信電力が所定の閾値よりも大きい場合に、温度上昇を抑制する処理を行うため、電子機器１１の少なくとも一部における温度上昇を抑制する処理をより好適に行うことができる。
【００３１】
（温度上昇を抑制する処理を行う条件例３）
更に他の条件例として、電子機器１１において、通信部１１３が、ビームフォーミング（Ｂｅａｍ ｆｏｒｍｉｎｇ）によって基地局２から電波を受信した場合に、処理制御部１１２１は、温度上昇を抑制する処理を行ってもよい。
【００３２】
一般的には、通信部１１３が、ビームフォーミングによって基地局２から電波を受信した場合は、５Ｇでの通信を実行する可能性が極めて高いため、電子機器１１における処理の負荷が重くなる。
【００３３】
上記の構成によれば、処理制御部１１２１は、通信部１１３が、ビームフォーミングによって基地局２から電波を受信した場合に、温度上昇を抑制する処理を行うため、電子機器１１の少なくとも一部における温度上昇を抑制する処理をより好適に行うことができる。
【００３４】
（温度上昇を抑制する処理を行う条件例４）
更に他の条件例として、電子機器１１において、電子機器１１に接続している端末が一定数以上存在する場合に、処理制御部１１２１は、温度上昇を抑制する処理を行ってもよい。また、ここでいう「一定数」は特に限定せず、必要に応じて好適に設定することが好ましい。
【００３５】
上記の構成によれば、処理制御部１１２１は、電子機器１１に接続している端末が一定数以上存在する場合に、温度上昇を抑制する処理を行うため、電子機器１１の少なくとも一部における温度上昇を抑制する処理をより好適に行うことができる。
【００３６】
（温度上昇を抑制する処理を行う条件例５）
更に他の条件例として、電子機器１１において、取得部１１２０は、電子機器１１における処理の負荷を示す情報として、電子機器１１に接続している端末の少なくとも何れかにおいて何れのアプリケーションが実行されているかを示す情報を、通信部１１３を介して取得し、処理制御部１１２１は、当該端末において所定のアプリケーションが実行されていることを当該情報が示している場合に、温度上昇を抑制する処理を行ってもよい。
【００３７】
一般的には、端末で起動されている所定のアプリケーションによる通信量が多い場合、電子機器１１に通信負荷がかかることが想定される。
【００３８】
上記の構成によれば、取得部１１２０は、電子機器１１に接続している端末の少なくとも何れかにおいて何れのアプリケーションが実行されているかを示す情報を取得し、処理制御部１１２１は、当該端末において所定のアプリケーションが実行されていることを当該情報が示している場合に、温度上昇を抑制する処理を行うため、電子機器１１の少なくとも一部における温度上昇を抑制する処理をより好適に行うことができる。
【００３９】
（温度上昇を抑制する処理を行う条件例６）
更に他の条件例として、電子機器１１において、電子機器１１が消費している電力の合計値が所定の閾値よりも大きい場合に、処理制御部１１２１は、温度上昇を抑制する処理を行ってもよい。また、ここでいう「所定の閾値」は特に限定せず、必要に応じて好適に設定することが好ましい。
【００４０】
一般的には、電子機器１１が消費している電力の合計値が所定の閾値よりも大きい場合は、電子機器１１における処理の負荷が重くなっていることを示す。
【００４１】
上記の構成によれば、処理制御部１１２１は、電子機器１１が消費している電力の合計値が所定の閾値よりも大きい場合に、温度上昇を抑制する処理を行うため、電子機器１１の少なくとも一部における温度上昇を抑制する処理をより好適に行うことができる。
【００４２】
（温度上昇を抑制する処理を行う処理例）
以上、温度上昇を抑制する処理を行う条件例を説明した。次に、温度上昇を抑制する処理を行う処理例を説明する。電子機器１１において、温度上昇を抑制する処理として、処理制御部１１２１は、電子機器１１に接続可能な端末の数を制限する処理を行ってもよい。
【００４３】
上記の構成によれば、電子機器１１における処理の負荷を低減させることができる。
【００４４】
（電子機器における処理の流れ）
次に、図２を参照しながら電子機器１１における処理の流れを説明する。図２は、図１に係る電子機器１１における処理を示すフローチャートである。図２に示すように、ステップＳ１において、通信制御部１１２２は、電子機器１１が用いる通信回線の種別または通信時間を判定する。
【００４５】
そして、ステップＳ１において、通信部１１３による通信に所定の種類の通信回線、たとえば５Ｇ規格対応の通信回路が使用されている、または電子機器１１における通信部１１３が一定時間以上、連続して通信処理を行っていると判定された場合（ステップＳ１：ＹＥＳ）に、ステップＳ７へ進む。
【００４６】
一方、通信部１１３による通信に所定の種類の通信回線を使用せず、かつ電子機器１１における通信部１１３が一定時間未満、連続して通信処理を行っていると判定された場合（ステップＳ１：ＮＯ）に、ステップＳ２へ進む。
【００４７】
ステップＳ２において、通信制御部１１２２は、送信電力が閾値よりも大きいか否かを判定する。そして、ステップＳ２において、送信電力が閾値よりも大きいと判定された場合（ステップＳ２：ＹＥＳ）に、ステップＳ７へ進む。
【００４８】
一方、送信電力が閾値よりも大きいと判定されなかった場合（ステップＳ２：ＮＯ）に、ステップＳ３へ進む。
【００４９】
ステップＳ３において、通信制御部１１２２は、通信部１１３が、ビームフォーミングによって基地局２から電波を受信したか否かを判定する。そして、ステップＳ３において、通信部１１３が、ビームフォーミングによって基地局２から電波を受信したと判定された場合（ステップＳ３：ＹＥＳ）に、ステップＳ７へ進む。
【００５０】
一方、通信部１１３が、ビームフォーミングによって基地局２から電波を受信しなかったと判定された場合（ステップＳ３：ＮＯ）に、ステップＳ４へ進む。
【００５１】
ステップＳ４において、通信制御部１１２２は、電子機器１１に接続端末が一定数以上あるか否かを判定する。そして、ステップＳ４において、電子機器１１に接続端末が一定数以上あると判定された場合（ステップＳ４：ＹＥＳ）に、ステップＳ７へ進む。
【００５２】
一方、電子機器１１に接続端末が一定数以上あると判定されなかった場合（ステップＳ４：ＮＯ）に、ステップＳ５へ進む。
【００５３】
ステップＳ５において、通信制御部１１２２は、大量に電力を消費するアプリケーションを実行しているか否かを判定する。そして、ステップＳ５において、大量に電力を消費するアプリケーションを実行していると判定された場合（ステップＳ５：ＹＥＳ）に、ステップＳ７へ進む。
【００５４】
一方、大量に電力を消費するアプリケーションを実行していないと判定された場合（ステップＳ５：ＮＯ）に、ステップＳ６へ進む。
【００５５】
ステップＳ６において、処理制御部１１２１は、電子機器１１の消費電力全体が閾値よりも大きいか否かを判定する。そして、ステップＳ６において、電子機器１１の消費電力全体が閾値よりも大きいと判定された場合（ステップＳ６：ＹＥＳ）に、ステップＳ７へ進む。
【００５６】
一方、電子機器１１の消費電力全体が閾値よりも大きいと判定されなかった場合（ステップＳ６：ＮＯ）に、処理を終了し、ステップＳ１に戻る。
【００５７】
ステップＳ７において、処理制御部１１２１は、電子機器１１が高温にならないように、電子機器１１を制御する。具体的には、前述のように、処理制御部１１２１は、温度上昇を抑制する処理を行う。
【００５８】
以上、電子機器１１における処理の流れを説明したが、説明の便宜上にステップＳ１〜
ステップＳ６としたが、本出願は特にこの順に限定せず、必要に応じて好適に変更することができる。
【００５９】
（端末の詳細構成）
以上、温度上昇抑制システム１を構成する電子機器１１側において温度上昇を抑制する処理を行う構成を説明したが、本出願はこれに限定せず、端末群１２側において温度上昇を抑制する処理を行ってもよい。以下、図３を参照しながら説明を続ける。
【００６０】
図３は、図１における端末群１２の１つの端末（例示では端末１２１である）の要部構成を示すブロック図である。
【００６１】
図３に示すように、端末１２１は、制御部１２１１と、冷却ユニット１２１２とを備える。また、制御部１２１１は、取得部１２１１１と、処理制御部１２１１２とを備える。ここでいう端末１２１とは、例えばアプリケーションを実行可能な端末である。
【００６２】
また、端末１２１は、電子機器１１等の外部装置との通信処理を行う通信部を備えていてもよい。また、制御部１２１１は、前記通信部による通信処理に係る制御を行う通信制御部を備えていてもよい。
【００６３】
取得部１２１１１は、端末１２１において何れのアプリケーションが実行されているかを示す情報を取得する。取得方法について、公知の方法を用いることができる。処理制御部１２１１２は、所定のアプリケーションが実行されていることを、当該情報が示している場合に、端末１２１の少なくとも一部における温度上昇を抑制する処理を行う。一般的には、端末で起動されている所定のアプリケーションによる通信量が多いから、端末自身の発熱も顕著であることが想定される。
【００６４】
端末１２１側における温度上昇を抑制する処理の一例として、例えば処理制御部１２１１２は、冷却ユニット１２１２の冷却量を制御することが挙げられる。また、冷却ユニット１２１２の一例として、例えば冷却ファンが挙げられる。
【００６５】
上記の構成によれば、定期的に計測している温度に変化が無い場合でも、温度上昇を予測して抑制する処理を行うことが可能な端末１２１を実現することができる。
【００６６】
（端末における処理の流れ）
次に、図４を参照しながら端末１２１における処理の流れを説明する。図４は、図３に示す端末１２１における処理を示すフローチャートである。図４に示すように、ステップＳ１１において、取得部１２１１１は、端末１２１において何れのアプリケーションが実行されているかを示す情報を取得する。
【００６７】
そして、ステップＳ１２において、制御部１２１１は、所定のアプリケーションが実行されているか否かを判定する。そして、ステップＳ１２において、所定のアプリケーションが実行されていると判定された場合（ステップＳ１２：ＹＥＳ）に、ステップＳ１３へ進む。
【００６８】
一方、所定のアプリケーションが実行されていないと判定された場合（ステップＳ１２：ＮＯ）には、ステップＳ１１に戻る。
【００６９】
ステップＳ１３において、処理制御部１２１１２は、端末１２１が高温にならないように、端末１２１を制御する。
【００７０】
〔ソフトウェアによる実現例〕
電子機器１１および端末１２１の制御ブロック（特に処理制御部１１２１、通信制御部１１２２および処理制御部１２１１２）は、集積回路（ＩＣチップ）等に形成された論理回路（ハードウェア）によって実現してもよいし、ソフトウェアによって実現してもよい。
【００７１】
後者の場合、電子機器１１および端末１２１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７２】
〔まとめ〕
本発明の態様１に係る電子機器（１１）は、電子機器（１１）における処理の負荷を示す情報を取得する取得部（１１２０）と、当該情報を参照して電子機器（１１）の少なくとも一部における温度上昇を抑制する処理を行う処理制御部（１１２１）と、を備えている。
【００７３】
上記の構成によれば、定期的に計測している温度に変化が無い場合でも、温度上昇を抑制する処理を行うことが可能な電子機器（１１）を実現することができる。
【００７４】
本発明の態様２に係る電子機器（１１）は、上記態様１において、通信部（１１３）を更に備え、取得部（１１２０）は、前記処理の負荷を示す情報として、通信部（１１３）における通信状況を示す情報を取得してもよい。
【００７５】
上記の構成によれば、通信部（１１３）における通信状況を示す情報を参照して、電子機器（１１）の少なくとも一部における温度上昇を抑制する処理を行うことができる。
【００７６】
本発明の態様３に係る電子機器（１１）は、上記態様２において、処理制御部（１１２１）は、通信部（１１３）による通信に所定の種類の通信回線が使用されている場合か、
通信部（１１３）が一定時間以上、連続して通信処理を行っている場合かの少なくとも何れか一方の条件が満たされたときに、前記温度上昇を抑制する処理を行ってもよい。
【００７７】
上記の構成によれば、処理制御部（１１２１）は、通信部（１１３）による通信に所定の種類の通信回線が使用されているか否か、または通信部（１１３）が一定時間以上、連続して通信処理を行っているか否かによって、温度上昇を抑制する処理を行うため、電子機器（１１）の少なくとも一部における温度上昇を抑制する処理を好適に行うことができる。
【００７８】
本発明の態様４に係る電子機器（１１）は、上記態様２または３において、処理制御部（１１２１）は、通信部（１１３）が、ビームフォーミングによって基地局（２）から電波を受信した場合に、前記温度上昇を抑制する処理を行ってもよい。
【００７９】
上記の構成によれば、処理制御部（１１２１）は、通信部（１１３）が、ビームフォーミングによって基地局（２）から電波を受信した場合に、温度上昇を抑制する処理を行うため、電子機器（１１）の少なくとも一部における温度上昇を抑制する処理をより好適に行うことができる。
【００８０】
本発明の態様５に係る電子機器（１１）は、上記態様２〜４の何れかにおいて、処理制御部（１１２１）は、電子機器（１１）に接続している端末が一定数以上存在する場合に、前記温度上昇を抑制する処理を行ってもよい。
【００８１】
上記の構成によれば、処理制御部（１１２１）は、電子機器（１１）に接続している端末が一定数以上存在する場合に、温度上昇を抑制する処理を行うため、電子機器（１１）の少なくとも一部における温度上昇を抑制する処理をより好適に行うことができる。
【００８２】
本発明の態様６に係る電子機器（１１）は、上記態様２〜５の何れかにおいて、取得部（１１２０）は、電子機器（１１）における処理の負荷を示す情報として、電子機器（１１）に接続している端末の少なくとも何れかにおいて何れのアプリケーションが実行されているかを示す情報を、通信部（１１３）を介して取得し、処理制御部（１１２１）は、当該端末において所定のアプリケーションが実行されていることを当該情報が示している場合に、前記温度上昇を抑制する処理を行ってもよい。
【００８３】
上記の構成によれば、取得部（１１２０）は、電子機器（１１）に接続している端末の少なくとも何れかにおいて何れのアプリケーションが実行されているかを示す情報を取得し、処理制御部（１１２１）は、当該端末において所定のアプリケーションが実行されていることを当該情報が示している場合に、温度上昇を抑制する処理を行うため、電子機器（１１）の少なくとも一部における温度上昇を抑制する処理をより好適に行うことができる。
【００８４】
本発明の態様７に係る電子機器（１１）は、上記態様２〜６の何れかにおいて、処理制御部（１１２１）は、前記温度上昇を抑制する処理として、電子機器（１１）に接続可能な端末の数を制限する処理を行ってもよい。
【００８５】
上記の構成によれば、電子機器（１１）における処理の負荷を低減させることができる。
【００８６】
本発明の態様８に係る電子機器（１１）は、上記態様２〜７の何れかにおいて、処理制御部（１１２１）は、通信部（１１３）が通信を行うことによる送信電力が所定の閾値よりも大きい場合に、前記温度上昇を抑制する処理を行ってもよい。
【００８７】
上記の構成によれば、処理制御部（１１２１）は、通信部（１１３）が通信を行うことによる送信電力が所定の閾値よりも大きい場合に、温度上昇を抑制する処理を行うため、電子機器（１１）の少なくとも一部における温度上昇を抑制する処理をより好適に行うことができる。
【００８８】
本発明の態様９に係る電子機器（１１）は、上記態様１〜８の何れかにおいて、処理制御部（１１２１）は、電子機器（１１）が消費している電力の合計値が所定の閾値よりも大きい場合に、前記温度上昇を抑制する処理を行ってもよい。
【００８９】
上記の構成によれば、処理制御部（１１２１）は、電子機器（１１）が消費している電力の合計値が所定の閾値よりも大きい場合に、温度上昇を抑制する処理を行うため、電子機器（１１）の少なくとも一部における温度上昇を抑制する処理をより好適に行うことができる。
【００９０】
本発明の態様１０に係る端末（１２１）は、アプリケーションを実行可能な端末であって、端末（１２１）において何れのアプリケーションが実行されているかを示す情報を取得する取得部（１２１１１）と、所定のアプリケーションが実行されていることを、当該情報が示している場合に、端末（１２１）の少なくとも一部における温度上昇を抑制する処理を行う処理制御部（１２１１２）と、を備えている。
【００９１】
上記の構成によれば、定期的に計測している温度に変化が無い場合でも、温度上昇を抑制する処理を行うことが可能な端末（１２１）を実現することができる。
【００９２】
本発明の態様１１に係る処理方法は、電子機器（１１）における温度上昇を抑制する処理方法であって、電子機器（１１）における処理の負荷を示す情報を取得する取得工程と、当該情報を参照して電子機器（１１）の少なくとも一部における温度上昇を抑制する処理を行う処理制御工程と、を含む。
【００９３】
上記の構成によれば、上記態様１と同様の作用効果を奏する。
【００９４】
本発明の態様１２に係る温度上昇抑制システムは、態様２〜９の何れかに記載の電子機器（１１）を備えている。
【００９５】
上記の構成によれば、上記態様１と同様の作用効果を奏する。
【００９６】
本発明の各態様に係る取得部および処理制御部は、コンピュータによって実現してもよく、この場合には、コンピュータを上記取得部および処理制御部が備える各部（ソフトウェア要素）として動作させることにより上記取得部および処理制御部をコンピュータにて実現させる取得部および処理制御部の制御プログラム、およびそれを記録したコンピュータ読み取り可能な記録媒体も、本発明の範疇に入る。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９８】
１  温度上昇抑制システム
１１  電子機器
１１２、１２１１  制御部
１１２０、１２１１１  取得部
１１２１、１２１１２  処理制御部
１１２２  通信制御部
１１３  通信部
１１４、１２１２  冷却ユニット
１２  端末群
１２１、１２２、１２３、…  端末
２  基地局
【図１】
2020141215.tif 000003
【図２】
2020141215.tif 000004
【図３】
2020141215.tif 000005
【図４】
2020141215.tif 000006